(57)【要約】      （修正有）【課題】天井用遮蔽部材と床用遮蔽部材と側壁面用遮蔽部材とを容易かつ迅速に作動させることが出来、保守点検も容易な軽量・薄型の移動間仕切り壁を提供する。【解決手段】移動壁本体１Ａの上下中間内部空間に配設され弾発付勢部材７によって回動する駆動用回動部材６と、天井側に回動自在に配設され駆動用回動部材６に天井側リンク部材61を介して連動連結された天井側回動部材62と、床側に配設され駆動用回動部材６に床側リンク部材71を介して連動連結された床側回動部材72と、回動力を上下方向の力として天井用遮蔽部材２へ伝達するための第１上下リンク部材63と、回動力を上下方向の力として床用遮蔽部材３へ伝達するための第２上下リンク部材73と、回動力を左右方向の力として側壁面用遮蔽部材５へ伝達するための第１左右リンク部材64と、回動力を左右方向の力として側壁面用遮蔽部材５へ伝達するための第２左右リンク部材74とを備えた。【選択図】図２
2019027207.tif 000002
【特許請求の範囲】
【請求項１】
移動壁本体（１Ａ）と室内の天井（12）の間を遮蔽するための天井用遮蔽部材（２）と、上記移動壁本体（１Ａ）と室内の床（13）の間を遮蔽するための床用遮蔽部材（３）と、上記移動壁本体（１Ａ）と室内の左右一方の側壁面（15）の間を遮蔽するための側壁面用遮蔽部材（５）と、を備えた移動間仕切り壁に於て、
正面視で上記移動壁本体（１Ａ）の上下中間内部空間に配設され弾発付勢部材（７）によって回動する駆動用回動部材（６）と、上記移動壁本体（１Ａ）の天井側内部空間に回動自在に配設され上記駆動用回動部材（６）に天井側リンク部材（61）を介して連動連結された天井側回動部材（62）と、上記移動壁本体（１Ａ）の床側内部空間に配設され上記駆動用回動部材（６）に床側リンク部材（71）を介して連動連結された床側回動部材（72）と、上記天井側回動部材（62）の回動力を上下方向の力として上記天井用遮蔽部材（２）へ伝達するための第１上下リンク部材（63）と、上記床側回動部材（72）の回動力を上下方向の力として上記床用遮蔽部材（３）へ伝達するための第２上下リンク部材（73）と、上記天井側回動部材（62）の回動力を左右方向の力として上記側壁面用遮蔽部材（５）へ伝達するための第１左右リンク部材（64）と、上記床側回動部材（72）の回動力を左右方向の力として上記側壁面用遮蔽部材（５）へ伝達するための第２左右リンク部材（74）と、を備えたことを特徴とする移動間仕切り壁。
【請求項２】
上記天井側回動部材（62）と上記第１上下リンク部材（63）は第１時間差連動手段（60）を介して連結され、上記第１時間差連動手段（60）は、上記天井側回動部材（62）及び上記第１上下リンク部材（63）の一方に設けた第１長孔部（60ａ）と、他方に設けられると共に該第１長孔部（60ａ）に差込まれる第１ピン部（60ｂ）と、を備え、
上記床側回動部材（72）と上記第２上下リンク部材（73）は第２時間差連動手段（70）を介して連結され、上記第２時間差連動手段（70）は、上記床側回動部材（72）及び上記第２上下リンク部材（73）の一方に設けた第２長孔部（70ａ）と、他方に設けられると共に該第２長孔部（70ａ）に差込まれる第２ピン部（70ｂ）と、を備えた請求項１記載の移動間仕切り壁。
【発明の詳細な説明】
【技術分野】
【０００１】
本発明は、移動間仕切り壁に関する。
【背景技術】
【０００２】
従来、移動間仕切り壁は、天井側に設けられたガイドレールに沿って走行する複数枚の移動壁本体を、平面視一直線状に配設して室内の間仕切りを行なうものがあった（例えば、特許文献１参照）。そして、催し会場や美術館、展示場等の室内において、光や音が漏れるのを防止するために、移動壁本体に、天井との間を遮蔽する天井用遮蔽部材と、床との間を遮蔽する床用遮蔽部材と、壁や柱等の側壁面との間を遮蔽する側壁面用遮蔽部材と、を設けたものがあった。
【先行技術文献】
【特許文献】
【０００３】
【特許文献１】特開平４−７０４８３号公報
【発明の概要】
【発明が解決しようとする課題】
【０００４】
しかし、天井用遮蔽部材と床用遮蔽部材と側壁面用遮蔽部材とを個別に操作して可動させると、遮蔽作業に時間がかかるといった問題があった。また、各遮蔽部材を電動モータやセンサにて電気制御を行うように構成すると構造が複雑になって、容易に製造できないといった問題や、保守点検等に手間がかかるといった問題や、移動壁本体の厚みや重量が大きくなって使い勝手が悪くなるといった問題があった。
【０００５】
そこで、本発明は、簡素な構成で、軽量・薄型化を実現でき、故障が少なく保守点検も容易で、しかも、天井用遮蔽部材と床用遮蔽部材と側壁面用遮蔽部材とを容易かつ迅速に作動させることが可能な軽量・薄型の移動間仕切り壁の提供を目的とする。
【課題を解決するための手段】
【０００６】
本発明の移動間仕切り壁は、移動壁本体と室内の天井の間を遮蔽するための天井用遮蔽部材と、上記移動壁本体と室内の床の間を遮蔽するための床用遮蔽部材と、上記移動壁本体と室内の左右一方の側壁面の間を遮蔽するための側壁面用遮蔽部材と、を備えた移動間仕切り壁に於て、正面視で上記移動壁本体の上下中間内部空間に配設され弾発付勢部材によって回動する駆動用回動部材と、上記移動壁本体の天井側内部空間に回動自在に配設され上記駆動用回動部材に天井側リンク部材を介して連動連結された天井側回動部材と、上記移動壁本体の床側内部空間に配設され上記駆動用回動部材に床側リンク部材を介して連動連結された床側回動部材と、上記天井側回動部材の回動力を上下方向の力として上記天井用遮蔽部材へ伝達するための第１上下リンク部材と、上記床側回動部材の回動力を上下方向の力として上記床用遮蔽部材へ伝達するための第２上下リンク部材と、上記天井側回動部材の回動力を左右方向の力として上記側壁面用遮蔽部材へ伝達するための第１左右リンク部材と、上記床側回動部材の回動力を左右方向の力として上記側壁面用遮蔽部材へ伝達するための第２左右リンク部材と、を備えたものである。
また、上記天井側回動部材と上記第１上下リンク部材は第１時間差連動手段を介して連結され、上記第１時間差連動手段は、上記天井側回動部材及び上記第１上下リンク部材の一方に設けた第１長孔部と、他方に設けられると共に該第１長孔部に差込まれる第１ピン部と、を備え、上記床側回動部材と上記第２上下リンク部材は第２時間差連動手段を介して連結され、上記第２時間差連動手段は、上記床側回動部材及び上記第２上下リンク部材の一方に設けた第２長孔部と、他方に設けられると共に該第２長孔部に差込まれる第２ピン部と、を備えたものである。
【発明の効果】
【０００７】
本発明によれば、天井用遮蔽部材と床用遮蔽部材と側壁面用遮蔽部材とを簡素な構造で機械的に連動連結でき、容易に製造（製造コストを大幅に削減）できると共に、軽量・薄型化を実現できる。保守点検を容易に行うことができると共に故障が少なく耐久性に優れる。スムーズに効率良く各遮蔽部材を迅速に作動させることができる。全体として軽量で容易に軽い力で走行させることができて使い勝手が良い。
【図面の簡単な説明】
【０００８】
【図１】本発明の実施の一形態を示し、非遮蔽状態の正面図である。
【図２】非遮蔽状態の要部断面正面図である。
【図３】遮蔽状態の要部正面図である。
【図４】ロック状態の要部正面図である。
【図５】ロック解除状態の要部正面図である。
【図６】遮蔽状態の要部断面側面図である。
【図７】遮蔽作動を説明するための要部正面図であって、（ａ）は非遮蔽状態の要部正面図であり、（ｂ）は遮蔽作動開始状態の要部正面図であり、（ｃ）は側壁面側遮蔽完了状態の要部正面図であり、（ｄ）は天井側遮蔽完了状態の要部正面図であり、（ｅ）は遮蔽完了状態の要部正面図である。
【発明を実施するための形態】
【０００９】
以下、図示の実施形態に基づき本発明を詳説する。
本発明に係る移動間仕切り壁は、図１に示すように、天井12から吊り下げられる複数枚の正面視長方形状の移動壁本体１，１を備え、吊下部材19によって天井12から吊下支持され、図示省略の天井側ガイドレールに沿って走行し、室内の左右一方の側壁面15から左右他方の側壁面16に向かって、室内を間仕切りするように平面視一直線状に配設される。
【００１０】
そして、複数枚の移動壁本体１，１の内、左右一方の側壁面15に最も近い左右一方の移動壁本体１Ａは、図２及び図３に示すように、上端縁部１ａに上下移動可能に設けられ上端縁部１ａと室内の天井12の間を遮蔽するための天井用遮蔽部材２と、下端縁部１ｂに上下移動可能に設けられ下端縁部１ｂと室内の床13の間を遮蔽するための床用遮蔽部材３と、左右一方の側端縁部１ｄに左右移動可能に設けられ側端縁部１ｄと室内の一方の側壁面15の間を遮蔽するための側壁面用遮蔽部材５と、を備えている。
【００１１】
天井用遮蔽部材２及び床用遮蔽部材３は、横断面コの字状の遮蔽本体部20，30を有し、非遮蔽状態で、遮蔽本体部20，30は、移動壁本体１Ａの正面壁部材10と背面壁部材11の間に内嵌状に収納されている。
側壁面用遮蔽部材５は、横断面コの字状の遮蔽本体部50を有し、非遮蔽状態で、遮蔽本体部50は、移動壁本体１Ａの側端縁部１ｄに外嵌状に（正面壁部材10及び背面壁部材11を挟持するように）配設されている。
【００１２】
そして、図２及び図３に示すように、正面視で移動壁本体１の上下中間内部空間に前後水平状の駆動回動軸心Ｌ６廻りに回動自在に設けられた１つの駆動用回動部材６と、駆動用回動部材６を所定方向（駆動回転方向ＮＡ）へ回動するように常時弾発付勢する弾発付勢部材７と、弾発付勢部材７の弾発力による駆動用回動部材６の回動を阻止するためのロック手段９と、を備えている。
【００１３】
駆動用回動部材６には、正面視傾斜状に配設される駆動用の弾発付勢部材７と、左右方向に沿って配設され（ロック手段９の）ロック力を伝達するための細帯板状のロック力伝達部材91と、上下方向に沿って配設される杆状の天井側リンク部材61と、上下方向に沿って配設される杆状の床側リンク部材71と、が枢結されている。
【００１４】
先ず、弾発付勢部材７は、図２及び図４の短縮状態から図３及び図５の伸長状態に切り換わることで、駆動用回動部材６を駆動回転方向（所定の回転一方向）ＮＡへ回動させる複数のガススプリング７Ａ，７Ｂから成る。
【００１５】
弾発付勢部材７は、各遮蔽部材２，３，５を作動させるための機械的な駆動源である。弾発付勢部材７は、移動壁本体１の内部空間に配設され、基端部を前後水平状の揺動軸心をもって移動壁本体１の内部固定部に枢着すると共に、先端部を前後水平状の駆動用枢結軸心Ｌ７をもって駆動用回動部材６に枢着している。具体的には、弾発付勢部材７は、駆動用回動部材６を常時下方かつ常時左右他方へ弾発付勢する１本の天井側のガススプリング７Ａと、駆動用回動部材６を常時上方かつ常時左右一方へ弾発付勢する２本の床側のガススプリング７Ｂ，７Ｂと、である。この２本のガススプリング７Ｂ，７Ｂは、傾斜状姿勢で、図６に示すように、前後方向に並列状に（並べて）設けている。なお、図６に於て、天井側リンク部材61と床側リンク部材71とは図示省略している。
【００１６】
弾発付勢部材７により、作動用の電気モータを設ける必要がなく、電源等の配線も必要なく容易に製作できる。また、モータ等の作動音が無く、静かに作動させることができる。電気的な駆動に頼らず、機械的な駆動が可能で、停電等の災害時にも使用できる。
【００１７】
次に、ロック手段９は、駆動用回動部材６を、回動不可能状態（ロック状態）と回動可能状態（ロック解除状態）とに切り替え可能に構成している。言い換えると、ロック手段９は、ロック力伝達部材91の左右方向の移動を阻止して、弾発付勢部材７を短縮状態に保持するロック状態と、ロック力伝達部材91の左右方向の移動を可能として弾発付勢部材７を伸長可能状態にするロック解除状態と、に切り替え可能に構成している。
【００１８】
ロック手段９は、ロック解除操作部94ｅと、ロック解除状態からロック状態に戻すためのロック用操作レバー96と、ロック力（固定力）を駆動用回動部材６に伝達するためのロック力伝達部材91と、を備えている。ロック手段９は、ロック解除操作部94ｅが左右一方へ押される（所定操作される）と、ロック力伝達部材91が左右方向に移動自在（可能）となり、駆動用回動部材６を回動可能状態（ロック解除状態）とし、駆動用回動部材６が、弾発付勢部材７の弾発力を受けて（弾発付勢部材７が伸長して）所定回動方向（回動一方向）ＮＡへ回動するように構成している。
また、ロック手段９は、ロック解除状態でロック用操作レバー96が所定操作されると、ロック力伝達部材91が、左右他方向へ引き寄せられて、駆動用回動部材６を弾発付勢部材７の弾発力に抗してロック回転方向（所定の回転他方向）ＮＢへ回動させ、弾発付勢部材７が短縮し、ロック力伝達部材91が所定ロック位置で移動不可能状態となるように構成したものである。つまり、ロック手段９は、ロック用操作レバー96が所定操作されると、駆動用回動部材６が弾発付勢部材７を短縮状態に保持するように、所定の回転角度位置で回動を阻止し続けるように構成している。
【００１９】
ロック力伝達部材91は、先端部91ａが前後水平状のロック用枢結軸心Ｌ９廻りに揺動自在に直接的に駆動用回動部材６に枢着されている。
なお、ロック用枢結軸心Ｌ９は、２本の床側のガススプリング７Ｂ，７Ｂの駆動用枢結軸心Ｌ７と同軸心状（上）に配設している。
【００２０】
天井側リンク部材61は、下端部が前後水平状の第１枢結軸心Ｌ１廻りに揺動自在に直接的（リンク型部材を介さず）に、駆動用回動部材６に枢着されている。
床側リンク部材71は、上端部が前後水平状の第２枢結軸心Ｌ２廻りに揺動自在に直接的に、駆動用回動部材６に枢着されている。
【００２１】
駆動用回動部材６が駆動回動軸心Ｌ６廻りに駆動回転方向ＮＡへ回動した際に、天井側リンク部材61の下端部（第１枢結軸心Ｌ１）と、床側リンク部材71の上端部（第２枢結軸心Ｌ２）と、が相互に異なる上下方向に移動（駆動回動軸心Ｌ６を支点としてシーソー状移動）するように、各軸心Ｌ６，Ｌ１，Ｌ２を配設している。
つまり、駆動用回動部材６には、天井側リンク部材61と床側リンク部材71と弾発付勢部材７とロック力伝達部材91の各枢結軸心Ｌ１，Ｌ２，Ｌ７，Ｌ９が、駆動回動軸心Ｌ６廻りに（駆動回動軸心Ｌ６を中心として）配設されている。
【００２２】
また、駆動用回動部材６は、板状であって（板材から成り）、天井側リンク部材61が枢結する第１片部（天井側作動用片部）６ａと、床側リンク部材71が枢結する第２片部（床側作動用片部）６ｂと、弾発付勢部材７（天井側ガススプリング７Ａ）が枢結する第３片部６ｃと、弾発付勢部材７及びロック力伝達部材91が枢結する第４片部６ｄと、を有し、図６に示すように、第１片部６ａと第２片部６ｂとを前後方向略同位置に配設し、第３片部６ｃと第４片部６ｄとを前後方向略同位置に配設し、第１・第２片部６ａ，６ｂと、第３・第４片部６ｃ，６ｄと、を前後方向異なる位置に配設して、狭い内部空間を有効利用している。
【００２３】
また、駆動用回動部材６は、正面視で、第１片部６ａと第２片部６ｂとを駆動回動軸心Ｌ６を中心として相互に約１８０度の反対位置に配設し、第３片部６ｃと第４片部６ｄとを駆動回動軸心Ｌ６を中心として相互に約１８０度の反対位置に配設し、全体として略十字型に形成することで、駆動用回動部材６の重心位置が正面視で駆動回動軸心Ｌ６と略同位置となり、バランスのとれたスムーズな回動を実現しつつ、駆動用回動部材６の軽量化を実現している。また、第３片部６ｃは、ロック力伝達部材91の左右方向の移動をスムーズにする（負荷を軽減する）ためのカウンターバランスとしても作用する。
【００２４】
また、駆動用回動部材６は、言い換えると、移動壁本体１の中央領域の内部空間に配設している。「移動壁本体１の中央領域に配設」とは、移動壁本体１の左右一方の側端縁部１ｄから、移動壁本体１の幅寸法Ｗの４０％以上６０％以下の範囲、かつ、移動壁本体１の下端縁部１ｂから、移動壁本体１の上下寸法Ｈの４０％以上６０％以下の範囲に、駆動回動軸心Ｌ６が配設されていることを言う。また、内部空間は、正面壁部材10と背面壁部材11との間の空間を言う。駆動用回動部材６は移動壁本体１の内部固定部に両持ち支持される枢支軸によって枢着（枢支）されている。
【００２５】
さらに、移動壁本体１Ａは、天井側内部空間に、前後水平状の天井側回動軸心Ｌ62廻りに回動自在に移動壁本体１に枢支された１つの天井側回動部材62が設けられ、床側内部空間に、前後水平状の床側回動軸心Ｌ72廻りに回動自在に移動壁本体１に枢支された１つの床側回動部材72が設けられている。
天井側・床側回動軸心Ｌ62，Ｌ72の左右方向位置は、駆動回動軸心Ｌ６と同位置であり、移動壁本体１の左右一方の側端縁部１ｄから、移動壁本体１の幅寸法Ｗの４０％以上６０％以下の範囲に配設されている。
【００２６】
天井側回動部材62には、天井側回動部材62の回動力を上下方向の力として天井用遮蔽部材２へ伝達するための第１上下リンク部材63と、天井側回動部材62の回動力を左右方向の力として側壁面用遮蔽部材５へ伝達するための第１左右リンク部材64と、が連結されている。また、天井側リンク部材61の上下方向の力（動作）が、天井側回動部材62の回動方向の力（動作）となるように、天井側回動部材62に、天井側リンク部材61が揺動自在に枢結している。天井側リンク部材61が降下すると、天井側回動部材62は所定回動方向（第１作動回転一方向）Ｎ１に回動する。
【００２７】
天井側回動部材62は、正面視Ｔ字状の板型であって（板材から成り）、天井側リンク部材61の上端部が前後水平状の第１作動用枢着軸心をもって枢結される第１作動用片部62ｅと、第１左右リンク部材64の基端部（左右他方端部）が前後水平状の第１左右用枢着軸心をもって枢結される第１左右移動用片部62ｆと、第１上下リンク部材63の下端部が連結される第１上下移動用片部62ｇと、を有している。
第１作動用片部62ｅと第１左右移動用片部62ｆとを天井側回動軸心Ｌ62を中心として相互に約９０度の中心角度をもって配設し、第１作動用片部62ｅと第１上下移動用片部62ｇとを相互に約１８０°の反対位置に配設している。
天井側回動部材62が回動した際に、第１作動用片部62ｅと第１上下移動用片部62ｇと、が相互に異なる上下方向に移動（天井側回動軸心Ｌ62を支点としてシーソー状移動）するように設けている。
【００２８】
床側回動部材72には、床側回動部材72の回動力を上下方向の力として床用遮蔽部材３へ伝達するための第２上下リンク部材73と、床側回動部材72の回動力を左右方向の力として側壁面用遮蔽部材５へ伝達するための第２左右リンク部材74と、が連結されている。また、床側リンク部材71の上下方向の力が、床側回動部材72の回動方向の力となるように、床側回動部材72に、床側リンク部材71が揺動自在に枢結している。床側リンク部材71が上昇すると、床側回動部材72は所定回動方向（第２作動回転一方向）Ｎ２に回動する。
【００２９】
床側回動部材72は、正面視Ｔ字状の板型であって（板材から成り）、床側リンク部材71の下端部が前後水平状の第２作動用枢着軸心をもって枢結される第２作動用片部72ｅと、第２左右リンク部材74の基端部（左右他方端部）が前後水平状の第２左右用枢着軸心をもって枢結される第１左右移動用片部72ｆと、第２上下リンク部材73の下端部が連結される第２上下移動用片部72ｇと、を有している。
第２作動用片部72ｅと第２左右移動用片部72ｆとを床側回動軸心Ｌ72を中心として相互に約９０度の中心角度をもって配設し、第２作動用片部72ｅと第２上下移動用片部72ｇとを相互に約１８０°の反対位置に配設している。
床側回動部材72が回動した際に、第２作動用片部72ｅと第２上下移動用片部72ｇと、が相互に異なる上下方向に移動（床側回動軸心Ｌ72を支点としてシーソー状移動）するように設けている。
【００３０】
第１上下リンク部材63の下端部は、天井側回動部材62と第１時間差連動手段60を介して連結されている。
第２上下リンク部材73の上端部は、床側回動部材72と第２時間差連動手段70を介して連結されている。
【００３１】
第１時間差連動手段60は、天井側回動部材62及び第１上下リンク部材63の一方に設けた第１長孔部60ａと、他方に設けられると共に第１長孔部60ａに差込まれる第１ピン部60ｂと、を備えている。
第１ピン部60ｂが第１長孔部60ａの上下一端縁部から上下他端縁部へ相対的にスライド移動することで、天井側回動部材62の回動力が、第１上下リンク部材63に伝達されるのが遅れるように設けている。
また、天井用遮蔽部材２は、自重で下降しないように、移動壁本体１Ａの正面壁部材10と背面壁部材11の内面側に設けた図示省略の天井側摩擦部材にて挟持されている。
【００３２】
第１時間差連動手段60は、具体的には、第１上下リンク部材63の下端部に、第１長孔部60ａを上下方向に沿った縦孔型に貫設し、天井側回動部材62の第１上下移動用片62ｇに第１ピン部60ｂを前後方向に突設して、図２の非遮蔽状態で、第１長孔部60ａの下端部に第１ピン部60ｂを配設している。天井側リンク部材61が降下して、天井側回動部材62が回動すると、第１ピン部60ｂが上昇するが、この天井側回動部材62の回動力は、第１ピン部60ｂが第１長孔部60ａの上端縁部に当接するまで、第１上下リンク部材63に伝達されないように構成している。したがって、天井側回動部材62が第１作動回転一方向Ｎ１へ回動した際に、第１左右リンク部材64の左右移動よりも第１上下リンク部材63の上昇の動き出しが遅くなる。
【００３３】
第２時間差連動手段70は、床側回動部材72及び第２上下リンク部材73の一方に設けた第２長孔部70ａと、他方に設けられると共に第２長孔部70ａに差込まれる第２ピン部70ｂと、を備えている。
第２ピン部70ｂが第２長孔部70ａの上下一端縁部から上下他端縁部へ相対的にスライド移動することで、床側回動部材72の回動力が、第２上下リンク部材73に伝達されるのが遅れるように設けている。
また、床用遮蔽部材３は、自重で下降しないように、移動壁本体１Ａの正面壁部材10と背面壁部材11の内面側に設けた図示省略の床側摩擦部材にて挟持されている。
【００３４】
第２時間差連動手段70は、具体的には、第２上下リンク部材73の上端部に、第２長孔部70ａを上下方向に沿った縦孔型に貫設し、床側回動部材72の第２上下移動用片部72ｇに第２ピン部70ｂを前後方向に突設して、図２の非遮蔽状態で、第２長孔部70ａの上端部に第２ピン部70ｂを配設している。床側リンク部材71が上昇して、床側回動部材72が回動すると、第２ピン部70ｂが降下するが、この床側回動部材72の回動力は、第２ピン部70ｂが第２長孔部70ａの下端縁部に当接するまで、第２上下リンク部材73に伝達されないように構成している。したがって、床側回動部材72が第２作動回転一方向Ｎ２へ回動した際に、第２左右リンク部材74の左右移動よりも第２上下リンク部材73の降下の動き出しが遅くなる。
【００３５】
また、第１左右リンク部材64と側壁面用遮蔽部材５との間に、側壁面用遮蔽部材５が側壁面15に当接した後に天井側回動部材62の作動（回動継続）による第１左右リンク部材64の左右一方向への移動ストロークを吸収する第１側方ストローク吸収手段８Ａを設けている。
また、第２左右リンク部材74と側壁面用遮蔽部材５との間に、壁面用遮蔽部材５が側壁面15に当接した後に床側回動部材72の作動（回動継続）による第２左右リンク部材74の左右一方向への移動ストロークを吸収する第２側方ストローク吸収手段８Ｂと、を設けている。
なお、第１側方ストローク吸収手段８Ａ及び第２側方ストローク吸収手段８Ｂを、まとめて側方ストローク吸収手段８と呼ぶ場合がある。
【００３６】
側方ストローク吸収手段８は、第１・第２左右リンク部材64，74の左右一端部に夫々前後水平状の連結軸心をもって枢着された側方伝達部材81，81と、その側方伝達部材81から左右一方向の作動力（押圧力）を受けて短縮する圧縮コイルバネ等の吸収用バネ部材82，82と、を備えている。
さらに、側方ストローク吸収手段８は、側方伝達部材81を左右方向スライド自在かつ左右他方向へ抜け止めして保持すると共に吸収用バネ部材82を伸縮自在に保持する筒状のケース部と、左右方向に走行するための複数の車輪と、側壁面用遮蔽部材５に固着される連結部と、を有する走行車部材83を備えている。また、走行車部材83の車輪が走行するレール部84を備えている。レール部84は、移動壁本体１Ａの剛性を高めるための枠材の一部に設けている。
【００３７】
側方ストローク吸収手段８は、第１・第２左右リンク部材64，74が左右一方へ移動すると、側方伝達部材81と吸収用バネ部材82を介して、走行車部材83を左右一方向へ移動させて、側壁面用遮蔽部材５を側壁面15に当接させる。当接後に、側壁面15の反力を受けて走行車部材83が移動不可能となる。引き続き、第１・第２左右リンク部材部材64，74が左右一方へ移動して側方伝達部材81を左右一方へ押圧しても、吸収用バネ部材82が短縮し、走行車部材83は左右一方へ移動しない。従って、第１・第２左右リンク部材64，74の左右一方向への移動ストロークが側壁面用遮蔽部材５に反映されない。第１・第２左右リンク部材64，74の移動ストロークは吸収用バネ部材82が短縮することで吸収される。言い換えると、側方ストローク吸収手段８を、側壁面用遮蔽部材５の上部側の第１側方ストローク吸収手段８Ａと、下部側の第２側方ストローク吸収手段８Ｂとに、分割して設けて、背の高い側壁面用遮蔽部材５がスムーズに移動するようにしている。
【００３８】
また、図２と図７（ａ）に示すように、側壁面用遮蔽部材５の側方移動寸法Ｓ５よりも天井用遮蔽部材２の上方移動寸法Ｓ２を大きくし、上方移動寸法Ｓ２よりも床用遮蔽部材３の下方移動寸法Ｓ３を大きく設定している。つまり、所定位置に配設された非遮蔽状態で、側壁面用遮蔽部材５と一方の側壁面15の間の側壁面側隙間寸法よりも、天井用遮蔽部材２と天井12の間の天井側隙間寸法が大きく、天井側隙間寸法よりも床用遮蔽部材３と床13の間の床側隙間寸法が大きくなるように、天井用遮蔽部材２と床用遮蔽部材３と側壁面用遮蔽部材５とを、移動壁本体１Ａに設けている。
【００３９】
このように、第１時間差連動手段60と、第２時間差連動手段70と、側方ストローク吸収手段８と、各移動（隙間）寸法Ｓ２，Ｓ３，Ｓ５と、を設けることで、ロック手段９がロック解除状態となって駆動用回動部材６が回動した際に、最初に、側壁面用遮蔽部材５が側壁面15に当接した後に、天井用遮蔽部材２が天井12に当接し、その後、床用遮蔽部材３が床13に当接するように構成している。
【００４０】
また、移動壁本体１Ａは、天井12と一方の側壁面15が接する上隅部17を遮蔽するための上隅部用遮蔽部材51と、床13と一方の側壁面15が接する下隅部18を遮蔽するための下隅部用遮蔽部材52と、を備えている。
【００４１】
上隅部用遮蔽部材51は、天井用遮蔽部材２の左右一端部に左右方向スライド自在に設けられ、かつ、側壁面用遮蔽部材５の上端部に上下方向スライド自在に設けられている。
そして、側壁面用遮蔽部材５と共に左右一方向へ移動し、天井用遮蔽部材２と共に上方向へ移動して、側壁面15の上部に当接すると共に天井12の左右一端部に当接して、上隅部17を遮蔽するように設けている。
【００４２】
下隅部用遮蔽部材52は、床用遮蔽部材３の左右一端部に左右方向スライド自在に設けられ、かつ、側壁面用遮蔽部材５の下端部に上下方向スライド自在に向けられている。
そして、側壁面用遮蔽部材５と共に左右一方向へ移動し、床用遮蔽部材３と共に下方向へ移動して、側壁面15の下部に当接すると共に床13の左右一端部に当接して、下隅部18を遮蔽するように設けている。
【００４３】
次に、本発明の移動間仕切り壁の使用方法（作動）について説明する。
図１に示すように、複数枚の移動壁本体１，１が平面視一直線状に配設された遮蔽準備状態に於て、各移動壁本体１，１と天井12の間には、走行のために設けた隙間が形成されると共に、各移動壁本体１と床13との間に走行のために設けた隙間が形成される。他方の側壁面16近傍に配設された左右他方の移動壁本体１Ｂは、他方の側壁面16に当接されている。隣り合う移動壁本体１，１同士は当接している。
そして、一方の側壁面15に接近して（近傍に）配設された左右一方の移動壁本体１Ａは、一方の側壁面15との間に配設のための隙間が形成されている。
【００４４】
移動壁本体１Ａは、図２に示す非遮蔽状態から、ロック手段９のロック解除用操作部94ｅを操作すると、ロック解除状態となってロック力伝達部材91が移動自在となり、駆動用回動部材６が回動自在となる。
弾発付勢部材７が伸長し、駆動用回動部材６が回動して、天井側リンク部材61を引き下げると共に、床側リンク部材71を引き上げる。天井側リンク部材61の降下に伴って天井側回動部材62が回動し、第１左右リンク部材64が左右一方向へ移動する。床側リンク部材71の上昇に伴って床側回動部材72が回動し、第２左右リンク部材74が左右一方向へ移動する。
【００４５】
ここで、天井側回動部材62の回動が開始しても、第１上下リンク部材63及び天井用遮蔽部材２は、第１時間差連動手段60によって（第１上下リンク部材63の第１長孔部60ａの上端縁部に、天井側回動部材62の第１ピン部60ｂが当接するまで）作動力が伝達されず、上昇しない。
また、床側回動部材72の回動が開始しても、第２上下リンク部材73及び床用遮蔽部材３は、第２時間差連動手段70によって（第２上下リンク部材73の第２長孔部70ａの下端縁部に、床側回動部材72の第２ピン部70ｂが当接するまで）作動力が伝達されず、降下しない。
つまり、図７（ａ）の非遮蔽状態から、図７（ｂ）に示すように、先ず、側壁面用遮蔽部材５のみが左右一方向へ移動を開始する。
【００４６】
さらに、駆動用回動部材６が回動すると、第１長孔部60ａの上端縁部に第１ピン部60ｂが当接して、天井用遮蔽部材２の上昇が開始すると共に、第２長孔部70ａの下端縁部に、第２ピン部70ｂが当接して、床用遮蔽部材３の降下が開始する。
その後、図７（ｃ）に示すように、先ず、側壁面用遮蔽部材５が左右一方の側壁面15に当接して遮蔽する。また、側壁面用遮蔽部材５の移動に伴って左右一方向へ引き出された上隅部用遮蔽部材51及び下隅部用遮蔽部材52が一方の側壁面15に当接して遮蔽する。
なお、側壁面用遮蔽部材５が左右一方の側壁面15に当接した後に、第１・第２上下リンク部材63，73が上下動を開始するように、第１・第２長孔部60ａ，70ａの長さを設定するも良い。
【００４７】
図３に示すように、側壁面用遮蔽部材５が一方の側壁面15に当接後に、第１・第２左右リンク部材64，74が左右一方へ移動しても、側方ストローク吸収手段８の吸収用バネ部材82が短縮され側方への移動ストロークが吸収される。
また、吸収用バネ部材82によって、一方の側壁面15に僅かな傾きがあっても、側壁面用遮蔽部材５を側壁面15に沿わせて隙間なく強い密着力で遮蔽することができる。
【００４８】
そして、図７（ｄ）に示すように、天井用遮蔽部材２が天井12に当接して遮蔽する。また、天井用遮蔽部材２の移動に伴って上方へ引き出された上隅部用遮蔽部材51が天井12に当接して遮蔽する。
なお、天井用遮蔽部材２が天井12に当接後に、天井側回動部材62が回動しようとすると、第１上下リンク部材63の下端部が左右一方側へ揺動して、天井側回動部材62の回動を可能にする。
あるいは、図示省略するが、第１上下リンク部材63と天井用遮蔽部材２の間に、上方ストローク吸収用弾発付勢部材（コイルバネ）を設けて、その上方ストローク吸収用弾発付勢部材の短縮により天井側回動部材62の回動を可能にするも良い。
【００４９】
最後に、図７（ｅ）に示すように、床用遮蔽部材３が床13に当接して遮蔽する。また、床用遮蔽部材３の移動に伴って下方へ引き出された下隅部用遮蔽部材52が床13に当接して遮蔽し、遮蔽作業完了状態となる。
なお、駆動用回動部材６の停止は、床13の反力を受けて床側リンク部材71の降下が阻止されることによる停止や、駆動用回動部材６が所定の回動角度位置で停止するようにストッパー部材を駆動用回動部材６の近傍に設けることや、弾発付勢部材７の伸長ストロークを所定量に設定する等自由である。
【００５０】
このように、一方の側壁面15に先に側壁面用遮蔽部材５を当接させることで、図１に示す間仕切り遮蔽準備状態に於て、他方の側壁面16近傍に配設された移動壁本体１Ｂ及び、中間に配設される複数の移動壁本体１Ｃ，１Ｃを、左右他方側へ寄せて、強い力で密着させ、吊り持ちによる傾きを適正な姿勢にした後に、天井12や床13側を確実かつ適切に遮蔽できる。
【００５１】
また、図１に於て、他方の側壁面16近傍に配設された移動壁本体１Ｂ及び、複数枚の中間の移動壁本体１Ｃ，１Ｃは、左右一方の移動壁本体１Ａの遮蔽完了後に、左右他方の移動壁本体１Ｂ及び中間の移動壁本体１Ｃ，１Ｃのロックを解除し、天井用遮蔽部材２と床用遮蔽部材３を作動させて、室内の間仕切り遮蔽を完了する。
【００５２】
また、遮蔽を解除する場合は、遮蔽完了状態からロック操作用レバー96を操作して、ロック力伝達部材91を左右他方向へ移動させる。駆動用回動部材６を、弾発付勢部材７の弾発力に抗する方向（ロック回転方向ＮＢ）へ回動させ、弾発付勢部材７を短縮させつつ、天井側リンク部材61を上昇させ、床側リンク部材71を降下させて、天井・床側回動部材62，72を遮蔽開始のときと反回転させる。遮蔽と逆の順序で、先ず、床用遮蔽部材３が上昇し、次に天井用遮蔽部材２が降下し、最後に側壁面用遮蔽部材５が左右他方へ移動して、非遮蔽状態となる。
【００５３】
なお、本発明は、設計変更可能であって、各回動部材６，62，72の正面視形状は、図例の十字型やＴ字型に限らず、円板型、三角板型や矩形型や多角形型等自由である。また、図示省略したが、天井用遮蔽部材２は遮蔽本体部20の天井側面に、床用遮蔽部材３は遮蔽本体部30の床側面に、側壁面用遮蔽部材は遮蔽本体部の側壁面側の面に、シール用パッキン部材を有している。なお、本発明に於て側壁面とは、壁や柱、ロッカーや棚等の家具等の面である。移動壁本体１の内部固定部は、移動壁本体１の内部空間に接する正面壁部材10、背面壁部材11、枠体、補強部材、或いは、それらに固着され内部空間に配設された固定部材等自由である。また、図示省略するが、弾発付勢部材７の先端部を、ロック力伝達部材91の左右中間部に枢着して、弾発力を駆動用回動部材６へ伝達する部材とするも良い。第１・第２長孔60ａ，70ａを、天井・床側回動部材62，72に円弧状に設けるも良い。
【００５４】
以上のように、本発明の移動間仕切り壁は、移動壁本体１Ａと室内の天井12の間を遮蔽するための天井用遮蔽部材２と、上記移動壁本体１Ａと室内の床13の間を遮蔽するための床用遮蔽部材３と、上記移動壁本体１Ａと室内の左右一方の側壁面15の間を遮蔽するための側壁面用遮蔽部材５と、を備えた移動間仕切り壁に於て、正面視で上記移動壁本体１Ａの上下中間内部空間に配設され弾発付勢部材７によって回動する駆動用回動部材６と、上記移動壁本体１Ａの天井側内部空間に回動自在に配設され上記駆動用回動部材６に天井側リンク部材61を介して連動連結された天井側回動部材62と、上記移動壁本体１Ａの床側内部空間に配設され上記駆動用回動部材６に床側リンク部材71を介して連動連結された床側回動部材72と、上記天井側回動部材62の回動力を上下方向の力として上記天井用遮蔽部材２へ伝達するための第１上下リンク部材63と、上記床側回動部材72の回動力を上下方向の力として上記床用遮蔽部材３へ伝達するための第２上下リンク部材73と、上記天井側回動部材62の回動力を左右方向の力として上記側壁面用遮蔽部材５へ伝達するための第１左右リンク部材64と、上記床側回動部材72の回動力を左右方向の力として上記側壁面用遮蔽部材５へ伝達するための第２左右リンク部材74と、を備えたので、各遮蔽部材２，３，５を簡素な構造をもって機械的に連動連結でき、軽量・薄型に容易に製作できる。また、作動時の摩擦が少なく（伝達ロスが少なく）スムーズに効率良く各遮蔽部材２，３，５を移動させることができる。従って、小さな動力源（小径のガススプリング）で、遮蔽部材２，３，５を作動させることができる。容易かつ迅速に製造でき、製造効率を向上させ製造コストを大幅に削減できる。軽量化を実現でき、容易に軽い力で走行（移動）させることができて使い勝手を向上できる。故障が少なく保守点検も容易で、しかも、天井用遮蔽部材２と床用遮蔽部材３と側壁面用遮蔽部材５とを容易かつ迅速に作動させることが可能な軽量・薄型の移動間仕切り壁を実現できる。
【００５５】
また、上記天井側回動部材62と上記第１上下リンク部材63は第１時間差連動手段60を介して連結され、上記第１時間差連動手段60は、上記天井側回動部材62及び上記第１上下リンク部材63の一方に設けた第１長孔部60ａと、他方に設けられると共に該第１長孔部60ａに差込まれる第１ピン部60ｂと、を備え、上記床側回動部材72と上記第２上下リンク部材73は第２時間差連動手段70を介して連結され、上記第２時間差連動手段70は、上記床側回動部材72及び上記第２上下リンク部材73の一方に設けた第２長孔部70ａと、他方に設けられると共に該第２長孔部70ａに差込まれる第２ピン部70ｂと、を備えたので、各遮蔽部材２，３，５の作動順序（制御）を電気的な制御を用いることなく、機械的に制御できる。従って、移動間仕切り壁全体を簡素な構成にでき、容易かつ迅速に製造できる。
【符号の説明】
【００５６】
１Ａ  移動壁本体
２  天井用遮蔽部材
３  床用遮蔽部材
５  側壁面用遮蔽部材
６  駆動用回動部材
７  弾発付勢部材
12  天井
13  床
15  左右一方の側壁面
60  第１時間差連動手段
60ａ  第１長孔部
60ｂ  第１ピン部
61  天井側リンク部材
62  天井側回動部材
63  第１上下リンク部材
64  第１左右リンク部材
70  第２時間差連動手段
70ａ  第２長孔部
70ｂ  第２ピン部
71  床側リンク部材
72  床側回動部材
73  第２上下リンク部材
74  第２左右リンク部材
【図１】
2019027207.tif 000003
【図２】
2019027207.tif 000004
【図３】
2019027207.tif 000005
【図４】
2019027207.tif 000006
【図５】
2019027207.tif 000007
【図６】
2019027207.tif 000008
【図７】
2019027207.tif 000009
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
移動壁本体（１Ａ）と室内の天井（12）の間を遮蔽するための天井用遮蔽部材（２）と、上記移動壁本体（１Ａ）と室内の床（13）の間を遮蔽するための床用遮蔽部材（３）と、上記移動壁本体（１Ａ）と室内の左右一方の側壁面（15）の間を遮蔽するための側壁面用遮蔽部材（５）と、を備えた移動間仕切り壁に於て、
正面視で上記移動壁本体（１Ａ）の中央領域の内部空間に回動自在に配設された駆動用回動部材（６）と、該駆動用回動部材（６）に先端部が枢着され上記駆動用回動部材（６）を回動するように常時弾発付勢する弾発付勢部材（７）と、上記駆動用回動部材（６）に下端部が枢着された天井側リンク部材（61）と、上記移動壁本体（１Ａ）の天井側内部空間に回動自在に配設され上記天井側リンク部材（61）の上端部が枢着する天井側回動部材（62）と、上記駆動用回動部材（６）に上端部が枢着された床側リンク部材（71）と、上記移動壁本体（１Ａ）の床側内部空間に配設され上記床側リンク部材（71）の下端部が枢着する床側回動部材（72）と、上記天井側回動部材（62）に第１時間差連動手段（60）を介して連結され上記天井側回動部材（62）の回動力を上下方向の力として上記天井用遮蔽部材（２）へ伝達するための第１上下リンク部材（63）と、上記床側回動部材（72）に第２時間差連動手段（70）を介して連結され上記床側回動部材（72）の回動力を上下方向の力として上記床用遮蔽部材（３）へ伝達するための第２上下リンク部材（73）と、上記天井側回動部材（62）に基端部が枢着され上記天井側回動部材（62）の回動力を左右方向の力として上記側壁面用遮蔽部材（５）へ伝達するための第１左右リンク部材（64）と、上記床側回動部材（72）に基端部が枢着され上記床側回動部材（72）の回動力を左右方向の力として上記側壁面用遮蔽部材（５）へ伝達するための第２左右リンク部材（74）と、を備え、
上記第１時間差連動手段（60）は、上記天井側回動部材（62）及び上記第１上下リンク部材（63）の一方に設けた第１長孔部（60ａ）と、他方に設けられると共に該第１長孔部（60ａ）に差込まれる第１ピン部（60ｂ）と、を備え、
上記第２時間差連動手段（70）は、上記床側回動部材（72）及び上記第２上下リンク部材（73）の一方に設けた第２長孔部（70ａ）と、他方に設けられると共に該第２長孔部（70ａ）に差込まれる第２ピン部（70ｂ）と、を備えたことを特徴とする移動間仕切り壁。
【請求項２】
上記弾発付勢部材（７）は、天井側に配設された天井側ガススプリング（７Ａ）と床側に配設された床側ガススプリング（７Ｂ）とで構成され、
上記駆動用回動部材（６）は、上記天井側リンク部材（61）が枢着する第１片部（６ａ）と、上記床側リンク部材（71）が枢着する第２片部（６ｂ）と、上記天井側ガススプリング（７Ａ）が枢着する第３片部（６ｃ）と、上記床側ガススプリング（７Ｂ）が枢着する第４片部（６ｄ）と、を有し、正面視で上記第１片部（６ａ）と上記第２片部（６ｂ）とを上記駆動用回動部材（６）の駆動回動軸心（Ｌ６）を中心として相互に約１８０度の反対位置に配設し、かつ、上記第３片部（６ｃ）と上記第４片部（６ｄ）とを上記駆動回動軸心（Ｌ６）を中心として相互に約１８０度の反対位置に配設して、全体として略十字型に形成している請求項１記載の移動間仕切り壁。
【手続補正２】
【補正対象書類名】明細書
【補正対象項目名】０００６
【補正方法】変更
【補正の内容】
【０００６】
本発明の移動間仕切り壁は、移動壁本体と室内の天井の間を遮蔽するための天井用遮蔽部材と、上記移動壁本体と室内の床の間を遮蔽するための床用遮蔽部材と、上記移動壁本体と室内の左右一方の側壁面の間を遮蔽するための側壁面用遮蔽部材と、を備えた移動間仕切り壁に於て、正面視で上記移動壁本体の中央領域の内部空間に回動自在に配設された駆動用回動部材と、該駆動用回動部材に先端部が枢着され上記駆動用回動部材を回動するように常時弾発付勢する弾発付勢部材と、上記駆動用回動部材に下端部が枢着された天井側リンク部材と、上記移動壁本体の天井側内部空間に回動自在に配設され上記天井側リンク部材の上端部が枢着する天井側回動部材と、上記駆動用回動部材に上端部が枢着された床側リンク部材と、上記移動壁本体の床側内部空間に配設され上記床側リンク部材の下端部が枢着する床側回動部材と、上記天井側回動部材に第１時間差連動手段を介して連結され上記天井側回動部材の回動力を上下方向の力として上記天井用遮蔽部材へ伝達するための第１上下リンク部材と、上記床側回動部材に第２時間差連動手段を介して連結され上記床側回動部材の回動力を上下方向の力として上記床用遮蔽部材へ伝達するための第２上下リンク部材と、上記天井側回動部材に基端部が枢着され上記天井側回動部材の回動力を左右方向の力として上記側壁面用遮蔽部材へ伝達するための第１左右リンク部材と、上記床側回動部材に基端部が枢着され上記床側回動部材の回動力を左右方向の力として上記側壁面用遮蔽部材へ伝達するための第２左右リンク部材と、を備え、上記第１時間差連動手段は、上記天井側回動部材及び上記第１上下リンク部材の一方に設けた第１長孔部と、他方に設けられると共に該第１長孔部に差込まれる第１ピン部と、を備え、上記第２時間差連動手段は、上記床側回動部材及び上記第２上下リンク部材の一方に設けた第２長孔部と、他方に設けられると共に該第２長孔部に差込まれる第２ピン部と、を備えたものである。
また、上記弾発付勢部材は、天井側に配設された天井側ガススプリングと床側に配設された床側ガススプリングとで構成され、上記駆動用回動部材は、上記天井側リンク部材が枢着する第１片部と、上記床側リンク部材が枢着する第２片部と、上記天井側ガススプリングが枢着する第３片部と、上記床側ガススプリングが枢着する第４片部と、を有し、正面視で上記第１片部と上記第２片部とを上記駆動用回動部材の駆動回動軸心を中心として相互に約１８０度の反対位置に配設し、かつ、上記第３片部と上記第４片部とを上記駆動回動軸心を中心として相互に約１８０度の反対位置に配設して、全体として略十字型に形成しているものである。
【手続補正３】
【補正対象書類名】明細書
【補正対象項目名】００５３
【補正方法】変更
【補正の内容】
【００５３】
なお、本発明は、設計変更可能であって、各回動部材６，62，72の正面視形状は、図例の十字型やＴ字型に限らず、円板型、三角板型や矩形型や多角形型等自由である。また、図示省略したが、天井用遮蔽部材２は遮蔽本体部20の天井側面に、床用遮蔽部材３は遮蔽本体部30の床側面に、側壁面用遮蔽部材は遮蔽本体部の側壁面側の面に、シール用パッキン部材を有している。なお、本発明に於て側壁面とは、壁や柱、ロッカーや棚等の家具等の面である。移動壁本体１の内部固定部は、移動壁本体１の内部空間に接する正面壁部材10、背面壁部材11、枠体、補強部材、或いは、それらに固着され内部空間に配設された固定部材等自由である。また、図示省略するが、第１・第２長孔60ａ，70ａを、天井・床側回動部材62，72に円弧状に設けるも良い。
【手続補正４】
【補正対象書類名】明細書
【補正対象項目名】００５６
【補正方法】変更
【補正の内容】
【００５６】
１Ａ  移動壁本体
２  天井用遮蔽部材
３  床用遮蔽部材
５  側壁面用遮蔽部材
６  駆動用回動部材
６ａ 第１片部
６ｂ 第２片部
６ｃ 第３片部
６ｄ 第４片部
７  弾発付勢部材
７Ａ 天井側ガススプリング
７Ｂ 床側ガススプリング
12  天井
13  床
15  左右一方の側壁面
60  第１時間差連動手段
60ａ  第１長孔部
60ｂ  第１ピン部
61  天井側リンク部材
62  天井側回動部材
63  第１上下リンク部材
64  第１左右リンク部材
70  第２時間差連動手段
70ａ  第２長孔部
70ｂ  第２ピン部
71  床側リンク部材
72  床側回動部材
73  第２上下リンク部材
74  第２左右リンク部材
Ｌ６ 駆動回動軸心